(57)【特許請求の範囲】
【請求項１】
動作中に磁石システムのキャビティ（４）に導入され、ｚ方向に均一な静磁場Ｂ０を生成するＮＭＲ−ＭＡＳ装置用のプローブヘッドであって、
前記ＮＭＲ−ＭＡＳ装置は、動作中に回転軸（ＲＡ）を有する測定サンプル（５）を前記プローブヘッド内に有し、
前記回転軸（ＲＡ）は、ｚ軸に対してθ＞０の角度で傾斜すると共にｘｚ平面内にあり、前記角度θは、調整角度α１，α２を有する目標角度θｔａｒｇｅｔの周りの間隔θｔａｒｇｅｔ−α１≦θ≦θｔａｒｇｅｔ＋α２でｘ軸に平行なチルト軸（ＤＡ）周りの機械的傾斜によって調整され、
ｚ＝０は、前記調整された角度θ＝θｔａｒｇｅｔにおける前記回転軸（ＲＡ）と前記ｚ軸との交点として画定されるプローブヘッドにおいて、
前記回転軸（ＲＡ）は、前記プローブヘッドに向かって不変の固定角度を有し、
前記ＮＭＲ−ＭＡＳ装置が調整機構を有し、前記調整機構は、前記キャビティ（４）に挿入された前記プローブヘッドの少なくとも一部を、前記チルト軸（ＤＡ）周りの機械的な回転によって前記ｚ軸に対して−α１≦α≦α２の角度αで調整することが可能であり、
前記磁石システムの前記キャビティ（４）は、空間点の集合Ｍによって記述される拡張したボディであり、集合Ｎはすべての部分集合Ｏ（α）から成り、前記部分集合Ｏ（α）は、前記集合Ｍから生じる前記ボディの前記チルト軸（ＤＡ）の周りの−α１≦α≦α２の前記角度αの回転によって記述され、
集合Ｐ＝∩Ｎが、前記磁石システムの前記キャビティ（４）の−α１≦α≦α２の前記角度αの回転によって生成されたすべてのボディの交差部であり、
前記プローブヘッドは、ｚ＝Ｌ１の上端とｚ＝−Ｌ２の下端を有する外側輪郭Ｋを有し、ＫがＰの部分集合：Ｋ⊂Ｐであることが適用され、−Ｌ２≦ｚ≦Ｌ１であるすべてのｚについて、前記輪郭Ｋの交差部Ｓ（ｚ）がｘｙ平面に平行に存在し、交差部Ｓ（０）は前記ｘ方向の範囲Ｑ（０）を示し、
ｚ１＜０である少なくとも１つの交差部Ｓ（ｚ１）がｘ方向にＱ（ｚ１）＜Ｑ（０）である範囲Ｑ（ｚ１）で存在し、
ｚ２＞０である少なくとも１つの交差部Ｓ（ｚ２）が前記ｘ方向にＱ（ｚ２）＜Ｑ（０）である範囲Ｑ（ｚ２）で存在する
ことを特徴とするプローブヘッド。
【請求項２】
前記角度θｔａｒｇｅｔは、前記ｚ軸に対してマジック角θｔａｒｇｅｔ＝ａｒｃｃｏｓ（３−０．５）＝θｍの値をとることを特徴とする請求項１に記載のプローブヘッド。
【請求項３】
前記プローブヘッドの前記輪郭Ｋは、セクションで円形のシリンダジャケット形状であることを特徴とする請求項１又は２に記載のプローブヘッド。
【請求項４】
前記プローブヘッドの前記輪郭は、前記ｘｚ平面との交差部Ｔが少なくとも１つのセクションで角度＋α１、−α１、＋α２、又はα２のもとで直線を示すように設計されていることを特徴とする請求項１から３のいずれか１項に記載のプローブヘッド。
【請求項５】
前記輪郭Ｋは、前記チルト軸（ＤＡ）周りに−α１≦α≦α２の角度αで回転させることにより、前記磁石システムの前記キャビティ（４）から生成されたすべてのボディに対して、少なくとも１つのセクションについての前記交差部Ｐの前記輪郭と同一であることを特徴とする請求項１から４のいずれか１項に記載のプローブヘッド。
【請求項６】
前記プローブヘッドの前記輪郭Ｋは、シリンダジャケット表面及び／又は球面のセクションから構成されていることを特徴とする請求項１から５のいずれか１項に記載のプローブヘッド。
【請求項７】
前記プローブヘッドの前記輪郭Ｋは、少なくとも２つのセクションを含むと共に前記ｘ軸に平行な直線である、少なくとも１つのｚ値についての前記ｘｙ平面との形状を示すことを特徴とする請求項１から６のいずれか１項に記載のプローブヘッド。
【請求項８】
より小さい幅のＱｕ：＝Ｑ（−Ｌ２）、すなわち前記交差部Ｓ（−Ｌ２）の前記ｘ方向における前記範囲、及び／又はより大きい幅Ｑｏ：＝Ｑ（Ｌ１）、すなわち前記交差部Ｓ（Ｌ１）の前記ｘ方向における前記範囲について、
Ｑｕ≦Ｑ（ｚ），∀ｚ＞−Ｌ２であり且つＱｕ＜Ｑ（ｚ）での∃ｚであり、
及び／又は
Ｑｏ≦Ｑ（ｚ），０＜ｚ＜Ｌ１の∀ｚであり且つＱｏ＜Ｑ（ｚ）での−Ｌ２＜ｚ＜Ｌ１の∃ｚであり、
及び／又は
Ｑｕ＜Ｑ（０）且つＱｏ≦Ｑ（０）
であることを特徴とする請求項１から７のいずれか１項に記載のプローブヘッド。
【請求項９】
３５ｍｍ≦Ｑ（０）≦４５ｍｍが適用されることを特徴とする請求項１から８のいずれか１項に記載のプローブヘッド。
【請求項１０】
前記調整機構は前記磁石システムの前記キャビティ（４）内に軸受（８）を含むことを特徴とする請求項１から９のいずれか１項に記載のプローブヘッド。
【請求項１１】
前記調整機構は前記プローブヘッドを前記軸受（８）に対して引っ張る機構を含み、及び／又は前記調整機構が、前記プローブヘッドの下端に調節可能なスペーサを含むことを特徴とする請求項１０に記載のプローブヘッド。
【請求項１２】
前記軸受（８）は、前記磁石システムに組み込まれた軸受部（９）と、前記プローブヘッドの上端での少なくとも部分的に円筒形の接続、又はｙ軸に平行なシリンダ軸との前記プローブヘッドの上端での少なくとも部分的に円筒形の接続を含むことを特徴とする請求項１０又は１１に記載のプローブヘッド。
【請求項１３】
前記軸受（８）は、前記磁石システムの前記キャビティ（４）内に旋回可能に取り付けられた機械軸によって形成されることを特徴とする請求項１０又は１１に記載のプローブヘッド。
【請求項１４】
前記調整機構は、前記磁石システムの下に固定されたロッカを示すことを特徴とする請求項１０から１３のいずれか１項に記載のプローブヘッド。
【請求項１５】
請求項１から１４のいずれか１項に記載のプローブヘッドを備えたＮＭＲ−ＭＡＳ装置の操作方法において、前記サンプル（５）の前記回転軸（ＲＡ）と前記均一な静磁場Ｂ０との間の前記角度θを調整するために、前記キャビティ（４）内に位置する前記プローブヘッドの少なくとも一部が、θｔａｒｇｅｔ−α１≦θ≦θｔａｒｇｅｔ＋α２である角度θで前記ｚ軸に対して傾斜されるべきであることを特徴とするＮＭＲ−ＭＡＳ装置の操作方法。
【発明の詳細な説明】
【技術分野】
【０００１】
本発明は、磁石システムのキャビティ内で動作されるＮＭＲ（＝核磁気共鳴）−ＭＡＳ（＝マジック角回転）装置のためのプローブヘッドに関する。回転軸を有するサンプル中に存在するプローブヘッドは、ＮＭＲ−ＭＡＳ装置の動作中にｚ軸方向に均一な静磁場Ｂ０を生成する。回転軸は、ｚ軸に対してθ＞０の角度で傾斜すると共にｘｚ平面内にあり、この角度θは、θｔａｒｇｅｔ−α１≦θ≦θｔａｒｇｅｔ＋α２の間隔でｘ軸に平行なチルト軸での、調整角度α１，α２を有する目標角度θｔａｒｇｅｔの周りの機械的回転によって調整することができ、ｚ＝０は、調整された角度θ＝θｔａｒｇｅｔにおける回転軸とｚ軸との交点として画定される。
【０００２】
このようなＮＭＲ−ＭＡＳプローブヘッドは、特許文献１（米国特許第７，４９８，８１２号明細書）から公知である。
【背景技術】
【０００３】
ＮＭＲ分光法は機器分析の方法であり、これを用いて、特にサンプルの化学組成を決定することができる。これにより、強く均一な静磁場Ｂ０に位置するサンプルに高周波パルスが放射され、プローブの電磁気反応が測定される。固体ＮＭＲ分光法では、均一な静磁場との整列において、サンプルの異方性相互作用による線広がりの減少をもたらすことが知られており、サンプルの回転軸では、通常の０°又は９０°の代わりに、θｍ＝ａｒｃｃｏｓ（√１／３）≒５４．７４°のいわゆる「マジック角」に傾斜される。この測定技術は、通常「マジック角スピニング」（ＭＡＳ）と呼ばれている。角度θｍは２次のルジャンドル多項式Ｐ２（ｃｏｓ（θｍ））＝０の解であり、この角度でルジャンドル多項式に依存するすべての相互作用が磁場に対して消滅する。固体中の３つの重要な相互作用、すなわち双極子結合、化学シフト異方性、及び１次の四重極相互作用の場合にも当てはまる。非単結晶測定サンプルに関しては、個々の微結晶の結晶方向は静的場に対してランダムであり；相互作用の排除は、マジック角での測定サンプルの著しく速い回転によって達成される。このようにして、これらの相互作用に起因する線広がりを、理想的には自然な線の幅にさえも、大幅に減少させることができる。
【０００４】
ＭＡＳ−ＮＭＲプローブヘッドにより、固体、粉末、又は半固体（ゲル又はペースト）の測定サンプルで高分解能ＮＭＲ分光法を実施することができる。これにより、測定サンプルは円形シリンダのサンプルホルダ、いわゆるロータに注入され、このロータは、ステータ内の圧縮ガスを介して、数ｋＨｚから１００ｋＨｚを超える回転周波数で、非常に高速で回転される。ラジアル軸受は、ステータ内の空気軸受と、ロータをステータの軸方向位置に保持する空気流によって生成される保持力とによって固定される。
【０００５】
従来技術
一般に、これらのプローブヘッドは、均一な静磁場Ｂ０が実験室座標系のｚ軸を特定する「ボアホール」に沿って配向されている超伝導ＮＭＲ磁石システムに使用される。このような磁石システムは図５に示されている。一般に、磁石システムは、磁石と、少なくとも１つのシムシステムとからなる。磁石は、通常、真空絶縁／デュワー、放射シールド、及び少なくとも１つの磁石コイル及び安全素子からなる。一般に、磁石コイルは、磁界の磁石の直接的な環境における磁化率変化の影響を最小限に抑えるために、外側に積極的に遮蔽されるように配置される。シムシステムは、しばしば２つの部分で設計されており、超電導線で作られたデュワー内部の低温冷却部品と、デュワーのボアホール内に配置された室温シムシステムとからなる。磁石システムは、測定中にＮＭＲプローブヘッドが挿入されるキャビティを示す。一般に、このキャビティは略管状のセクションであるが、プローブヘッド、サンプル等のセンタリング装置として機能する円錐形のセクションも含むことができる。
【０００６】
図６では、サンプル５、回転軸ＲＡ、及びキャビティの壁６が、２つの直交する断面図で示されている。高周波コイル、ステータ、壁、ネットワーク等のＮＭＲプローブヘッドの別の要素は、簡略化のために示されていない。サンプルの回転軸ＲＡは、ｚ’軸としても記載され、ｚ軸と共有の原点を有する。ｚ軸及びｚ’軸は、ｘ軸及びｚ軸ならびにｘ’軸及びｚ’軸にまたがる平面上にある。２つの座標系のｙ軸とｙ’軸は同じである。
【０００７】
磁場Ｂ０が７Ｔから２５Ｔの範囲にある磁石システムにおける多くのＮＭＲ実験では、０．１°から０．０１°までのマジック角の調整精度で十分であるが、例えば、衛星遷移（ＳＴ−ＭＡＳ）ＮＭＲ等の一部のアプリケーションでは、０．００１°までの精度が要求される。角度調整は、広範囲の温度にわたって一定に保たれていなければならず、サンプルを交換するときに再現性があることが保証されなければならない。
【０００８】
従来技術では、図８に概略的に示すように、大部分のＭＡＳプローブヘッドで、角度調整は、プローブヘッド内の一体化された機構によって行われる（冒頭に引用された特許文献１（米国特許第７，４９８，８１２号明細書）、又は例えば特許文献２（米国特許出願公開第２０１４／００９９７３０号明細書）、特許文献３（米国特許第７，５３５，２２４号明細書）、特許文献４（米国特許第５，２６０，６５７号明細書）を参照）。これにより、エンドストップ付きのホイスト、ロッド及びレバー、歯車、スピンドル等を使用するさまざまな方法が一般的である。これらの方法は、密封されたプローブヘッドにも使用されており、例えば、サンプルと検出コイルの温度が大きく異なり、ベローズ又はＯリングシールを用いてそこで行われる（特許文献５（米国特許第７，２８２，９１９号明細書）を参照）。
【０００９】
プローブヘッドにおける角度調整の技術的課題は、機構の精度と再現性について非常に高い要求である。一般的なレバーの長さを約２ｃｍ〜３ｃｍと仮定すると、要求される角度の精度は、０．５μｍ〜５μｍの機械公差である。このような狭い公差により、機械的構成要素の製造コストが高くなる。
【００１０】
ＭＡＳプローブヘッドは、一般に、サンプルに対して非常に広い温度範囲を示す。温度スケールの下端では、−５０°Ｃ、−８０°Ｃ、−１３０°Ｃまでの温度又は３０Ｋ〜１００Ｋの極低温領域の温度のために特に設計されたプローブヘッドが存在する。温度制御の上限値では、＋８０°Ｃ、＋１５０°Ｃまでの温度、又はそれ以上の特別なサンプルの場合の温度が指定される。サンプルの温度制御は、ほとんどの場合、温度制御ガスによって保証され、それによって、とりわけ、軸受空気及び／又は駆動空気が温度制御される。
【００１１】
構成のコンパクト化（サンプル直径は典型的には０．７ｍｍ〜４ｍｍの範囲内である）のために、傾斜機構の少なくとも一部の温度はサンプルの温度に近い。高精度での広い温度範囲にわたる角度調整の再現性は、実施するのが技術的に極めて困難であり、機械部品の製造コストが高くなる。
【００１２】
さらに、内部調整機構のないプローブヘッドを備えたＮＭＲシステムは、特許文献６（米国特許第８，５４７，０９９号明細書）から公知である。このＮＭＲシステムでは、プローブヘッド及び磁石システムに対する回転軸（ｚ’軸）の傾斜が一定に保たれ、サンプルの周囲に配置された追加の電磁コイルを用いて磁界Ｂ１を生成させることによって静磁場の方向を回転させるため、ｚ’軸と磁場Ｂ０及びＢ１の線形結合の方向との角度がマジック角に対応する。
【００１３】
この方法は角度の迅速かつ正確な調整を可能にするが、大きな欠点は、追加の電磁コイルを磁気システムに導入するために、プローブヘッドの直径をサンプルの領域で低減しなければならないことである。さらに、調整範囲は、追加のコイルにおいて、動作中に発生する散逸に起因して、０．０５°未満の範囲の非常に小さな角度補正に限定されている（参考文献［８］参照）。
【先行技術文献】
【特許文献】
【００１４】
【特許文献１】米国特許第７，４９８，８１２号明細書
【特許文献２】米国特許出願公開第２０１４／００９９７３０号明細書
【特許文献３】米国特許第７，５３５，２２４号明細書
【特許文献４】米国特許第５，２６０，６５７号明細書
【特許文献５】米国特許第７，２８２，９１９号明細書
【特許文献６】米国特許第８，５４７，０９９号明細書
【発明の概要】
【発明が解決しようとする課題】
【００１５】
内部調整機構を備えたプローブヘッドに関する外径の低減は、さまざまな欠点を有する。
【００１６】
１．サンプル回転の技術的実現のために利用できる空間（空気軸受、駆動部、ガスパイプ等）が減少している。これにより、複雑さが増して、追加コストが発生する；
２．電気シールド内の高周波電磁界に利用できる空間が減少しているため、プローブヘッドの高周波性能が低下する。これは、パルス持続時間を達成するために、低減された測定信号対雑音比だけでなく、増加した性能要件、及びそれに伴うより高い散逸を表す；
３．ガスパイプ、高周波ネットワーク、及び、場合によっては、熱交換器、ポンプライン、調整可能な高周波要素のために利用できる空間が減少している。これは、プローブヘッドのさまざまな構成要素の性能に悪影響を及ぼし得る。
【００１７】
このため、プローブヘッドの直径の縮小は、少なくとも中央領域で可能な限り小さくする必要がある。
【００１８】
２つのタイプの磁石システム、いわゆる、標準ボア（＝ＳＢ）磁石システムとワイドボア（＝ＷＢ）磁石システムが市場に存在し、そのボアホールは、ＳＢのＤＢ＝４０ｍｍ＋／−２ｍｍ、ＷＢシステムのＤＢ＝７３ｍｍ＋／−２ｍｍの領域に直径ＤＢを有する。
【００１９】
ＳＢ磁石システムの場合、１０ｍｍを超える直径の縮小は、もはやサンプルの性能にとって許容できない。多くのアプリケーションでは、５ｍｍはすでに有害である。十分に強力な角度補正用の追加の電磁コイルを、この減少したボリュームでは製造することができないため、ＳＢプローブヘッドのマジック角の純粋な電気的調整は、特に磁場強度Ｂ０＞２０Ｔの超高磁場ＮＭＲの場合、現実的ではない。
【００２０】
本発明の目的は、冒頭に定義されたタイプのＮＭＲ−ＭＡＳプローブヘッドを提供することであり、これにより、すでに利用可能な簡単な技術装置を用いて、できる限り広い範囲にわたって、高精度且つ高再現性で、しかも安価に角度θを調整することを可能にし、その際にプローブヘッドの大幅な性能低下を受け入れる必要がない。
【課題を解決するための手段】
【００２１】
この目的は、同様に驚くほど簡単かつ効果的な方法で、またすでに利用可能な技術装置を用いて解決され、冒頭に述べたタイプのＮＭＲ−ＭＡＳプローブヘッドでは、回転軸はプローブヘッドに対して変更不可能な固定角度位置を有し、ＮＭＲ−ＭＡＳ装置は、キャビティ内に挿入されたプローブヘッドの少なくとも一部を、チルト軸の周りの機械的な傾斜の間に、ｚ軸に対して−α１≦α≦α２の角度αで調整することができる、調整機構を有し、磁気システムのキャビティは、空間点の集合Ｍによって記述される拡張したボディであり、集合Ｎはすべての部分的な集合Ｏ（α）から成り、部分的な集合Ｏ（α）は、集合Ｍから生成されたボディから、チルト軸周りに−α１≦α≦α２の角度αで傾斜させることによって記述され、集合Ｐ＝∩Ｎは、−α１≦α≦α２の角度αで傾斜させることによって、磁気システムのキャビティによって生成されるすべてのボディの交差部であり、プローブヘッドは、ｚ＝Ｌ１の上端とｚ＝−Ｌ２の下端を有し、ＫがＰの部分集合：Ｋ⊂Ｐであることを適用する外側輪郭Ｋを有し、−Ｌ２≦ｚ≦Ｌ１であるすべてのｚについて、輪郭Ｋの交差部Ｓ（ｚ）がｘｙ平面に平行に存在し、交差部Ｓ（０）はｘ方向の範囲Ｑ（０）を示し、ｚ１＜０である少なくとも１つの交差部Ｓ（ｚ１）がｘ方向にＱ（ｚ１）＜Ｑ（０）である範囲Ｑ（ｚ１）で存在し、ｚ２＞０である少なくとも１つの交差部Ｓ（ｚ２）がｘ方向にＱ（ｚ２）＜Ｑ（０）である範囲Ｑ（ｚ２）で存在する。
【００２２】
図１は、磁石システムのキャビティ４が連続的な円筒形のボアホールからなる場合を示しており、ｘｚ平面との交差部が示されている。交差部Ａ−Ａ’及びＢ−Ｂ’は、ｘｙ平面に平行である。
【００２３】
キャビティの境界は、図１に点線で示されており、集合Ｐの境界は実線で示されている。また、サンプル５と、ｚ軸との交点が座標系のゼロ点を画定する回転軸ＲＡと、チルト軸ＤＡとが示されている。この特定の場合において、最大の負の調整角度と正の調整角度は同じである（α１＝α２）。
【００２４】
このように、本発明では、ＮＭＲ−ＭＡＳ分光法用のプローブヘッドが利用可能であり、これにより、サンプルの回転軸の角度を、均一な静磁場Ｂ０に対して高精度かつ高再現性で調整することが可能となり、同時に、電磁部品、空圧部品、及び機械部品の技術的実現のために、プローブヘッド内で可能な限り大きなボリュームを提供する。
【００２５】
従来技術から逸脱する可能性は、角度調整の高精度かつ高再現性のための基準を保証するために、調整機構をプローブヘッドの内側ではなくプローブヘッドの外側に置き、静磁場Ｂ０に対して磁気ボアホール（すなわち、磁気システムのキャビティ）に挿入されたプローブヘッド全体や少なくとも一部を傾けることである。プローブヘッドを調整することにより、角度調整のための機構の寸法を内部機構の場合よりもはるかに大きく設計することができる。レバー比がより好適になり、結果として十分な精度を有する機構のコストが大幅に低下する。一般に、チルト軸と、磁石システムのボアホールの外側の調整機構の取り付け点との間の間隔は、１／２メートルから１メートルの範囲内であるので、調整機構の精度に対する要件がここでは約１０〜２００μｍである。さらに、プローブヘッドのケーシング及びプローブヘッドの外側の構成要素は、サンプルの温度変化に対して著しく良好に絶縁され得るので、調整機構の温度補償のための要件もまた低減する。
【００２６】
精度及び再現性に関する特に高い要件については、磁石システムのキャビティ内の温度及び／又はＮＭＲシステムを取り囲む周囲空気の温度の調節を提供することができる。このような調節は、サンプルの良好な絶縁と、プローブヘッドのカバーに対するＭＡＳ動作のための必要なガスフローとを組み合わせて、使用される材料の熱膨張係数の要件を最小にする。さらに、角度を調整するためのセンサの使用は、従来技術において知られており、それにより、センサは、ホールセンサ（参考文献［７］，［９］参照）、光学センサ（参考文献［１０］）、及び／又はチルトセンサに基づいている。
【００２７】
従来技術では、プローブヘッドは、一般に、円筒形の外側輪郭を有する。これらを、パイプから特に安く作ることができる。ここで、プローブヘッドを磁石システムに対して回転させることによって角度θの調整が達成されたとすると、その後、一定の外径を有するプローブヘッドの場合、サンプルに必要な回転範囲は、磁石システムのボアホールとの衝突なしに達成可能であるように、大幅に低減されなければならない。磁石システムパイプの下端とプローブヘッドの上端との中間のチルト点の場合には、最も低い低減が実現される。この配置に関する不都合な点は、チルト点がｚ＝０ではなく、チルト角の補正により、サンプルが横方向（すなわち、ｘ方向）に移動するだけでなく、磁石に対して軸方向（すなわちｚ方向）にも移動することである。これは、必要な磁場均一性を再現するために、シム補正が必要になり得ることを意味する。さらに、サンプルを、少なくとも２つの端部のうちの１つにおいて、磁石の最も均一な領域から旋回させることができ、これは達成可能なＮＭＲ線幅が悪化することを意味する。
【００２８】
これは、図７に示すように、サンプル５が元の位置から引かれ、回転したサンプル７が点線で示されている。チルト軸ＤＡの周りを角度αで回転する場合、チルト点がｘ方向及びｚ方向においてｚ＝０（図７（左））にある場合にはサンプルはほとんど移動せず、一方で、チルト点がｚ≠０である場合（図７（右））、サンプルは中間位置から旋回され、これによりサンプルの中心がｘ方向及びｚ方向において移動する。
【００２９】
ただし、チルト点がサンプルの中心に配置されている場合、上述の問題を回避するために、プローブヘッドケーシングの可能な外径は、ゼロ点Ｌ１を超えるプローブヘッドの範囲として大幅に縮小され、原則として、座標系のゼロ点下の範囲−Ｌ２よりもかなり小さい。
【００３０】
一般に、＋／−１°の角度で調整可能であるが、少なくとも＋／−０．５°の角度が必要であり、これにより、チルト軸ＤＡとプローブヘッドの上端又は下端との間の距離が０．５ｍ〜１ｍになり、プローブヘッドの横方向のずれが４．５ｍｍ〜１７．５ｍｍの範囲にあり、したがって、外径が９ｍｍ〜３５ｍｍに低減する。
【００３１】
ＳＢシステムでは、最良の場合のシナリオで外径を５分の１以上低減しなければならない（理論的には最大１０分の９）が、ＷＢシステムのための縮小は、外形の１／１０〜１／４の範囲とすることができる。このことから、外径が全体的に低減することによって生じる前述の技術的欠点は、実現可能な調整範囲に対する要求が低いＷＢシステム又は非常にコンパクトな（短い）ＳＢシステム、特に高磁場強度の磁石システムを備えたＳＢシステムについて、単に許容可能であり、これらは原則として非常にコンパクトではあるが、プローブヘッドの性能に許容できない妥協をもたらすことが分かる。
【００３２】
定義：
磁石システムは、少なくとも１つの磁石と少なくとも１つのシムシステムとから成り、ｚ軸に平行な均一な静磁場Ｂ０を生成する。一般に、磁石システムは、座標系のｚ軸と一致する円筒形の軸を少なくとも中心部に有する実質的に円筒形のキャビティ４を有する。キャビティは、プローブヘッドを磁石システムに導入するために機能する少なくとも１つの開口部を有する。この定義によれば、磁場Ｂ０の極性にかかわらず、この開口部は磁石システムの下端（ｚ＜０）上になければならない。一般に、キャビティは、円筒形、円錐形、及び球形のセクションを介してセクションで近似されることができる。セクションは、全体の一部として理解されるべきであり、セクションごとに、円筒形状は、円形シリンダの任意の数の部分的なパーツを含む。特にｚ軸に沿ったセクションでは、ｘｙ平面との交差部は円形である。
【００３３】
プローブヘッドは、円筒形状のサンプルホルダ内のサンプルを受け入れることが意図されている。したがって、サンプルホルダは、回転軸ＲＡとして記述される軸を有する。プローブヘッドには、サンプルホルダが回転軸の周りを回転できるように、技術装置（軸受と駆動部）が取り付けられている。この回転は、１ｋＨｚを超える、特に１０ｋＨｚを超える周波数に達し、理想的な場合には、回転周波数は、ロータ表面の速度ｖが０．７ｖｓｏｕｎｄ＜ｖ＜ｖｓｏｕｎｄの範囲にあるように設計され、ここで、ロータを取り囲む媒体の音速ｖｓｏｕｎｄは、ロータの領域内の状態（圧力、温度等）による。この媒体は理想的には気体、好ましくは空気、窒素又はヘリウムであり、その圧力は１０−４ｈＰａ〜１０４ｈＰａの範囲である。
【００３４】
サンプルホルダの回転軸は、ｚ軸に対してθ＞０の角度で傾斜し、ｘｚ平面上にある。プローブヘッド及び／又は磁石システム、プローブヘッド、及びプローブヘッドホルダからなるＮＭＲシステムは、サンプルをｚ軸に対して目標角度θｔａｒｇｅｔに向けるように機能する装置を含む。この装置は、可能な限りｙ軸に平行であるチルト軸ＤＡを画定する。サンプルのチルト軸とｚ軸との交点は、調整された角度θｔａｒｇｅｔ，ｚ＝０で画定される。
【００３５】
チルト軸とｘｚ平面との交点は、ｘ，ｚ＝０に位置することができるが、一般に正又は負の値を容認する。
【００３６】
チルト運動のチルト軸は、サンプルの中央領域内の回転軸と理想的に交差する。代案として、チルト軸は、ｘ≠０又はｚ≠０でｘｚ平面と交差することができる。
【００３７】
ＮＭＲシステムは、θｔａｒｇｅｔ−α１≦θ≦θｔａｒｇｅｔ＋α２の間隔で角度θを変化させることができる。最大の負の調整角度α１と正の調整角度α２とは同一であってもよいが、一般に異なる。２つの調整角度のうちの１つがαｉ＝０であることも可能である。
【００３８】
プローブヘッドが動作中に導入される磁石システムのキャビティは、ｚ＝−Ｌ２で下端を示す。動作中に、指向角度θ＝θｔａｒｇｅｔにおいて、プローブヘッドの上端はｚ＝Ｌ１にある。
【００３９】
磁石システムのキャビティは、空間点の集合Ｍによって記述される拡張したボディである。集合Ｍは、磁石システムのキャビティに含まれるすべての空間点を含む。
【００４０】
集合Ｍによって記述されるボディを、α１≦α≦α２の調整角度αでチルト軸の周りに回転させることができる。結果として得られるボディは集合Ｏ（α）によって記述される。
【００４１】
集合Ｎは、すべての部分集合Ｏ（α）、すなわち、集合Ｍから生じるすべてのボディから、チルト軸周りに−α１≦α≦α２の角度αだけ傾斜させることによって構成される。−α１≦α≦α２の角度αだけ傾斜させることによって、磁石システムのキャビティから生成されたすべてのボディの交差部Ｐ＝∩Ｎは、磁石システムと衝突することなく、−α１≦α≦α２の角度αで、プローブヘッドの傾きに対して可能な限り最大のボディを記述する。
【００４２】
プローブヘッドは、ｚ＝Ｌ１に上端を有し、ｚ＝−Ｌ２に下端を有する外側輪郭Ｋを有する。動作中キャビティの外側にあるプローブヘッドの構成要素は輪郭Ｋによって記述されず、すなわち、輪郭Ｋは単にプローブヘッドの表面の部分集合である。さらに、ＫはＰの部分集合：Ｋ⊂Ｐであり、特にＰの真部分集合であることが適用される。
【００４３】
−Ｌ２≦ｚ≦Ｌ１のすべてのｚについて、ｘｙ平面に平行な輪郭Ｋの交差部Ｓ（ｚ）が存在する。この交差部は、Ｑ（ｚ）で記述されるｘ方向の範囲と、Ｒ（ｚ）で記述されるｙ方向の範囲とを有する。
【００４４】
本発明の更なる利点は、明細書及び図面に記載されている。同様に、本発明による上述の特性及びさらに列挙される特性は、個々に又は任意の組合せで使用され得る。示され説明された実施の形態は網羅的なリストとして見なされるべきではなく、本発明の説明の一例である。
【図面の簡単な説明】
【００４５】
【図１】磁気システムのキャビティ４を通るｘｚ平面に平行な１つの交差部Ｔ及びｙｚ平面に平行な２つの交差部Ｓ、並びに−α１≦α≦α２の角度αでの回転による交差部Ｐであって、磁石システムのキャビティから生成されたすべてのボディの交差部Ｐとを示す図である。
【図２】円筒形の輪郭の断面を有する本発明に係るプローブヘッドの一実施の形態を示す図であり、ｘｚ平面に平行な交差部Ｔ及びｙｚ平面に平行な交差部Ｓ（−Ｌ２）及びＳ（０）が示されている。
【図３】本発明に係るプローブヘッドの一実施の形態を示す図であり、輪郭Ｋが、少なくとも各セクションにおいて交差部Ｐと交差部Ｔの境界線に一致している。
【図４】一般的な設計のキャビティ及びα１≠α２の調整角度を有する一実施の形態を示す図であり、プローブヘッドの輪郭Ｋとｘｙ平面に平行な平面との交差部Ｓが、ｘ軸に平行な直線である少なくとも２つのセクションを含む少なくとも１つのｚ値についての形状を示す。
【図５】磁石と少なくとも１つのシムシステムとからなる従来技術による磁石システムを示す図である。
【図６】キャビティと回転軸を有するサンプルとの境界と従来技術におけるｘｙｚ及びｘ’ｙ’ｚ’座標系とを示す図である。
【図７】サンプルの中央のチルト軸（左）とサンプルの中心の外側のチルト軸（右）とが傾斜しているサンプルの運動を示す図である。
【図８】ｚ軸に対するサンプルの回転軸の角度の調整がプローブヘッドに一体化された機構によって行われる従来技術に係るプローブヘッドを備えた磁石システムを示す図である。
【発明を実施するための形態】
【００４６】
本発明は、図面に示されており、設計例を用いてより詳細に説明される。
【００４７】
本発明の利点が非常に顕著である本発明によるプローブヘッドの特に好ましい設計形状の場合、角度θｔａｒｇｅｔは、ｚ軸に対してマジック角θｔａｒｇｅｔ＝ａｒｃｃｏｓ（３−０．５）＝θｍの値をとる。
【００４８】
したがって、角度θｍ−α１≦θ≦θｍ＋α２を超える角度の調整が、０．０２５°、より良好には０．０１°、又はさらに理想的には０．００１°であると共に０°≦α１，２≦２°、少なくとも≦１°、ただし少なくとも≦０．５°の精度及び再現性を有する場合、特に好適である。このようなプローブヘッドを、マジック角スピニングＮＭＲの用途に使用することができる。
【００４９】
実際には、本発明の設計形状は特に有用であることが判明しており、プローブヘッドの輪郭Ｋは、セクションでシリンダジャケット形状であり、特に円形のシリンダジャケット形状である。シリンダセクションを、引抜プロファイル、パイプ、又は旋削部品から製造することができるため、機械的に構築することは特に容易である。シリンダジャケットセクションの少なくとも１つが円形シリンダ形状である実施の形態が特に好ましく、これにより製造がさらに容易になる。円筒形のセクションは、ｘｙ平面とのすべての交差部が実質的に円形であるように設計されているので、特に好適である。このように設計されたセクションを、再成形することなく長さに切断されたパイプ片から製造することができる。円形の断面の場合、例えば、特にＯリングを用いて容易にシールを実現することができるか、又はねじ接続を生成することができる。さらに、その輪郭が、４つ、より良好には３つ、又は理想的には２つのシリンダジャケットセクションから主に構成されているプローブヘッドが好ましい。これらの実施の形態は、構成を非常に容易にし、コストを削減する。
【００５０】
図２は、この実施の形態によるプローブヘッドを示している。プローブヘッドの輪郭Ｋとキャビティ４の境界は実線で示されているが、集合Ｐの境界は点線で示されている。サンプルの領域では、輪郭は直径Ｄ（０）＝Ｅ（０）の円形シリンダの外面で構成されている。この具体的な設計形状では、この領域は回転軸と対称に設計され、ｚ＝０である。一般に、これはチルト軸にも座標系の原点にも適用してはならない。下側の領域では、プローブヘッドの輪郭は、多数の円形シリンダジャケット領域から構成されている。直径Ｄ２を有する中央の円形シリンダは、この結果、耐荷重要素として機能することができ、一方、より小さい円形シリンダは、ガス及びケーブル用のチューブを示すことができる。
【００５１】
さらに、本発明によるプローブヘッドの好ましい実施の形態では、プローブヘッドの輪郭Ｋは、ｘｚ平面との交差部Ｔが、角度＋α１、−α１、＋α２、又はα２で少なくとも１つのセクションについて直線を示すように設計されている。これらの実施の形態は、プローブヘッドの最大ボリュームを可能にする可能性を有する。
【００５２】
輪郭Ｋは、次のように設計された本発明の設計形態も好ましい。すなわち、磁石システムのキャビティから生成されるボディのチルト軸の周りを−α１≦α≦α２の角度αで傾斜させることにより、少なくとも交差部Ｔに対して、交差部Ｐのすべての点が輪郭内又は輪郭上にすべて配置されるような方法である。これらの実施の形態は、対応するセクションにおいて可能な限り大きなボリュームを提供することができる。このようなプローブヘッドが、ｘｚ面に沿った交差部に、図３に示されている。これにより、輪郭Ｋ及びキャビティ４の境界が実線として示されている。キャビティの外側に位置するプローブヘッドの部分は、点線で示されている。この場合、キャビティは連続的なボアホールではない。
【００５３】
本発明に係るプローブヘッドの好適な一実施の形態では、プローブヘッドの輪郭Ｋは、シリンダジャケット表面及び／又は球面のセクションから構成されている。これらの形態は、調整パスを最大化することができると同時に、製造が容易である。
【００５４】
本発明の特に容易に構成されコンパクトな別の実施の形態では、プローブヘッドの輪郭Ｋとｘｙ平面に平行な平面との交差部Ｓ（ｚ）が、少なくとも２つのセクションを含むと共に、ｘ軸に平行な直線である、少なくとも１つのｚ値についての形状を示すという事実が際立っている。これには、キャビティ内のプローブヘッドに隣接して、例えばケーブル又は光ファイバを敷設するような他のアプリケーションのために利用可能な空間が残るという利点がある。このような実施の形態は、図４の交差部Ｆ−Ｆ’に示されている。
【００５５】
本発明によるＮＭＲ−ＭＡＳプローブヘッドの実施の形態も好ましく、より小さい幅のＱｕ：＝Ｑ（−Ｌ２）、すなわち交差部Ｓ（−Ｌ２）のｘ方向における範囲、及び／又はより大きい幅Ｑｏ：＝Ｑ（Ｌ１）、すなわち交差部Ｓ（Ｌ１）の範囲について、
Ｑｕ≦Ｑ（ｚ），∀ｚ＞−Ｌ２であり且つＱｕ＜Ｑ（ｚ）での∃ｚであり、
及び／又は
Ｑｏ≦Ｑ（ｚ），０＜ｚ＜Ｌ１の∀ｚであり且つＱｏ＜Ｑ（ｚ）での−Ｌ２＜ｚ＜Ｌ１の∃ｚであり、
及び／又は
Ｑｕ＜Ｑ（０）且つＱｏ≦Ｑ（０）
である。
【００５６】
これにより、ＱｕがＱ（０）よりも２０％、又はより良好には１０％小さい場合に特に好適である。また、Ｑｕが、ｘｙ平面との交差部Ｐのｘ方向における寸法より少なくとも２０％、又はより好ましくは１０％、及び／又は１０ｍｍ、又はより好ましくは５ｍｍ、理想的には３ｍｍ小さい場合に特に好適である。これにより、角度の特に広い調整範囲が可能になり、チルト点はゼロ点に近くなる。
【００５７】
さらなる好ましい実施の形態及び実際に実証されたものについては、３５ｍｍ≦Ｑ（０）≦４５ｍｍが適用される。
このようなプローブヘッドを、非常に高い磁場強度で且つＷＢシステムよりも低コストで製造することができると共に市場にはるかに多く存在する磁石システムで動作させることができる。
【００５８】
調整機構が磁石システムのキャビティ内に軸受８を含む実施の形態も好適である。
【００５９】
この実施の形態の特に好ましい改善の場合、調整機構は、プローブヘッドを軸受８にクランプする機構を含み、及び／又は調整機構は、プローブヘッドの下端に調節可能なスペーサを含む。
【００６０】
このようにして、軸受に対するプローブヘッドの運動による公差を回避することができる。さらに、調整機構が、プローブヘッドの下端に調整可能なスペーサを含む場合に、これが磁石システムに対するプローブヘッドの傾斜を画定するように機能することが好ましい。角度の調整を自動化するために、このようなスペーサを電動にすることもできる。これは、機械的精度に対する要件が低減されるため、特に実現が容易である。さらに、モータを、磁気システムのキャビティの外側に配置することもできるため、静的な残留磁場が大幅に低減され、ピエゾ駆動の代わりに典型的な電動モータを使用する可能性がある。
【００６１】
これらの実施の形態は、磁石システムへのプローブヘッドの再現性のある導入、及び角度の再現可能な調整を可能にする。特に、角度の測定と組み合わせることにより、このようなプローブヘッドは、熱変動の場合の角度の調節及び／又は追跡も可能にする。
【００６２】
一実施の形態では、軸受８は、磁気システムに組み込まれた軸受部９と、プローブヘッドの上端での少なくとも部分的に球形の接続、又はｙ軸に平行なシリンダ軸とのプローブヘッドの上端での少なくとも部分的に円筒形の接続を含む。このようなプローブヘッドは図３に示されている。
【００６３】
球形の接続は、カウンタ球、円錐、又は異なる設計の軸受９に組み込まれ、上部軸受を生成することができる。球の中心点が座標系のゼロ点と一致する場合が、特に好ましい。この場合、チルト軸はサンプルの中心にある。プローブヘッドがこの軸受に対して引っ張られることができれば、プローブヘッドを磁石システム内に再現可能に配置することができる。角度調整のための機構がプローブヘッドの下端に取り付けられている場合、レバーは非常に大きいので、十分な角度公差と再現性を達成するために、マイクロメータの精度はもはや要求されない。これにより、角度調整のためのコストが削減される。
【００６４】
他の実施の形態は、ｙ軸に平行なシリンダ軸を有するシリンダ形の接続を含む。このようにして、プローブヘッドを適切なカウンタシリンダに導くことができ、チルト軸が明確に画定され、回転軸に直交する軸の周りのプローブヘッドの傾きを防止することができる。理想的には、シリンダ軸はｙ軸と一致する。これにより、調整機構の構成が簡単になる。
【００６５】
代案の実施の形態では、磁石システムのキャビティ内に旋回可能に取り付けられ、プローブヘッドのチルト軸を形成する機械軸によって軸受が形成されるという事実が際立っている。また、カウンタ軸受は、プローブヘッドにしっかりと接続され、磁石システムでのみ作動される場合、プローブヘッドではなく磁石システムの一部として見られるべきである。これは、特に、前述の球面軸受又はころ軸受のカウンタ軸受にも当てはまる。カウンタ軸受は、プローブヘッドの回転中は剛性を維持しているため、磁石システムのキャビティから生成されたすべてのボディの交差部の外側に、回転軸の周りを−α１≦α≦α２の角度の傾斜で配置され得る。例えばベローズを介した、プローブヘッドの剛性要素と可撓性要素との接続は、プローブヘッドではなく磁石システムの一部として、及び／又はキャビティ内のプローブヘッドの輪郭として認識されるべきである。
【００６６】
調整可能なスペーサを使用してプローブヘッドの下端を磁石システムに対して移動させることができる場合、特に好適である。直線運動と座標系の原点付近のチルト点との組合せにより、調整機構の公差要件が大幅に低減される。これにより、システム全体の製造コストが削減される。
【００６７】
好ましくは、前述の実施の形態の場合、調整機構は、磁石システムの下に取り付けられたロッカを有することができる。調整可能なスペーサを使用してプローブヘッドの下端を磁石システムに対して移動させることができる場合、特に好適である。直線運動と座標系の原点付近のチルト点の組合せにより、調整機構の公差要件が大幅に低減される。これにより、システム全体の製造コストが削減される。
【００６８】
また、本発明の範囲内において、本発明に係る前述のタイプのプローブヘッドを備えたＮＭＲ−ＭＡＳ装置を操作する方法があり、この方法は、磁気システムのキャビティ内に挿入されたプローブヘッドの全体、又はキャビティ内に配置されたプローブヘッドの少なくとも一部におけるサンプルの回転軸と均一な静磁場Ｂ０とのなす角度θの調整が、θｔａｒｇｅｔ−α１≦θ≦θｔａｒｇｅｔ＋α２の角度θでｚ軸に対して傾斜されるという事実により際立っている。
【００６９】
本発明は、ＮＭＲ−ＭＡＳ分光計におけるプローブヘッドの新しい設計に関し、プローブヘッドは、磁石システムのキャビティに挿入されたプローブヘッドの少なくとも一部をθｔａｒｇｅｔ−α１≦θ≦θｔａｒｇｅｔ＋α２の範囲内で磁石システムに対して傾斜させることを可能にする外側輪郭と、磁石システムに向かうプローブヘッドの位置及び角度を画定する調整機構とを示す。これにより、この輪郭は、ｘｙ平面に平行な少なくとも１つの交差部を示し、交差部のＱ（ｚ）の範囲がプローブヘッドとＱ（０）のｘｙ平面との交差部の範囲よりも小さい。
【００７０】
ただし、まず最初に、より理解しやすくするために、本発明によって改善されている従来の通常の技術を説明しなければならない。
【００７１】
従来技術では、ＭＡＳプローブヘッドは、一般に、θｔａｒｇｅｔ−α１≦θ≦θｔａｒｇｅｔ＋α１の範囲のｚ’に沿ったサンプルの回転軸とｚに沿った静磁場Ｂ０との間の角度θの正確な調整を可能にする調整機構を含む。プローブヘッドに組み込まれたこのような調整機構は、「内部」又は「一体化」機構として説明される。これにより、一般に、サンプルと、ロータの軸受及び駆動部を含むステータと、高周波コイルとが運動している。この運動は、ホイスト、スピンドル及び歯車、直線運動を有するレバー、又は同様の機構によって引き起こされ、主に回転運動を含むが、一般に直線運動と回転運動が組み合わされている。手動及び電動調整を伴う調整機構が知られており、特に起電力による調整が用いられる。多くのプローブヘッド、特にＳＢ磁石システムで使用され得るプローブヘッドを用いると、非常に広い領域にわたって角度調整を行うことができ、またサンプルを交換するときにサンプルを容易に取り出すことができる。
【００７２】
特にサンプル温度を変化させるとき、これらの調整機構の精度が、ＮＭＲ測定を要求するには十分でないことが多いことが知られている。これは、数千分の一度の範囲の角度誤差が、測定されたスペクトルにおける顕著な線広がりをもたらす可能性のあるプロトン分光法やＳＴＭＡＳに特に当てはまる。
【００７３】
極低温に冷却された検出コイルを備えたプローブヘッドでは、一般に、コイルが絶縁真空によってサンプルから分離されるという別の問題が生じる。この目的のために、通常、検出コイルとサンプルとの間に少なくとも１つのデュワー壁がある。これがＷＢプローブヘッドについて特許文献５（米国特許第７，２８２，９１９号明細書）のように実現されたとしても、プローブヘッド内のサンプルの傾斜や、デュワー及びＲＦコイルを統合することは機械的に非常に面倒である。
【００７４】
従来技術では、サンプルの回転軸と磁場方向との間の角度θを調整するために、以下の方法が使用される。一般に、ＮＭＲプローブヘッドを介して、調整された角度における線幅の可能な限り大きな依存性を有するサンプル（例えば、粉末臭化カリウム）が測定され、中心線の線幅、及び回転側のバンド及び／又は線の高さ及び／又はさまざまな線の間の振幅／幅の比が評価される。代案として、評価が時間領域信号に対して直接的に行われ得る。この方法では、角度は、チルト軸の周りでｚ軸に対してステータを傾斜させる調整機構の作動によって調整される。ステータが回転軸を特定すると、回転軸は、このようにして、チルト軸の周りでｚ軸に対して回転される。チルト軸はプローブヘッドに対して取り付けられ、磁石システムにおける位置は変わらない。
【００７５】
一般に、従来技術のプローブヘッドは、略一定の外径を有する円筒形のパイプからなる輪郭を有する。
【００７６】
通常、これらのプローブヘッドはまた、磁石システムにプローブヘッドを取り付ける際に、可能な限り明確な位置決めを実現するために、（一般に、キャビティ内に挿入されたプローブヘッドの部分の上端及び下端の領域における）磁石システムに対するセンタリング及び位置決めの可能性を有する。このようにして、プローブヘッドは、可能な限り効率的に、磁石システムの通常は円筒形のキャビティの可能な最大ボリュームを使用することができる。
【００７７】
本発明によれば、従来技術におけるＭＡＳプローブヘッドの問題は、ＮＭＲシステムが、外側輪郭を有するプローブヘッドを含むように設計されるという事実によって解決され、これにより、磁石システムのキャビティ内に挿入されたプローブヘッドの少なくとも一部を、磁石システムや、磁石システムに対するプローブヘッドの位置と角度を画定する調整機構に対して、傾斜及び／又は回転させることができる。本発明に係るプローブヘッド内のサンプルの回転軸は、少なくとも回転軸とｚ軸との間の角度の調整中に、プローブヘッドに対して一定の角度位置を示す。磁石システムのキャビティ内のプローブヘッドの輪郭Ｋは、したがって、ｘｙ平面に平行な少なくとも１つの交差部Ｓ（ｚ１）を示し、ｚ１＜０であり、その範囲Ｑ（ｚ１）はプローブヘッドとｘｙ平面Ｑ（０）との交差部の範囲よりも小さく、少なくとも１つの交差部Ｓ（ｚ２）はｘ方向の範囲Ｑ（ｚ２）でｚ２＞０であり、このため、Ｑ（ｚ２）＜Ｑ（０）である。
【００７８】
同等の寸法の場合、このように設計されたプローブヘッドを、一体化された調整機構のない一定の直径を有する管状のプローブヘッドよりも、磁石システムに関して著しく広い調整範囲にわたって傾斜させることができる。磁石システムに対してプローブヘッドを傾斜させる際のレバー比が大きくなるため、機械的精度に対する要件が大幅に低減される。さらに、サンプルの温度を変化させるとき、プローブヘッドの外側シェルの温度及び磁石システムに含まれるシムシステムの温度を一定に保つことは、サンプルの温度を変化させるとき、一体化された調整機構の熱膨張を制御するよりもはるかに容易である。このようにして、さまざまなサンプル温度での動作において、角度の精度及び再現性が向上する。
【００７９】
さらに、本発明に係るプローブヘッドの輪郭Ｋは、一般に、ｘｙ平面に平行な少なくとも１つの交差部Ｓ（ｚ３）を示し、これについては、ｙ方向の範囲Ｒ（ｚ３）が、ｘ方向の範囲より大きいか又は同じである：Ｒ（ｚ３）≧Ｑ（ｚ３）。ｚ＜０の大きな間隔についてＲ（ｚ）＞Ｑ（ｚ）である場合、特に好適である。このようなプローブヘッドは、同じ調整範囲を可能にする円筒形断面を有するプローブヘッドよりも、ガスライン、真空ライン又は電気ライン、及び機械的要素の設置のために、はるかに多くの空間を提供することができる。
【００８０】
これにより、交差部Ｓ（ｚ）は任意の形状を有することができ、その形状は、複数の円形セクションからなる円形、長円形若しくは楕円形、長方形（丸みを帯びた又は丸みを有さない）、又は直線及び円形セクションからなる形状が特に好ましく、一方では、それらは多くの空間を提供し、他方では製造が容易である。
【００８１】
また、例えば、プローブヘッド内に導入し、及び／又はサンプルを取り出すために、プローブヘッドに対するサンプルの角度を変更できるプローブヘッドは、本発明の範囲内に含まれるが、プローブヘッドに対する回転軸の角度が、角度θの調整プロセスの間に変更されない場合は、外部調整機構によって実行される。サンプルを取り出すための傾斜機構の精度要件は、調整機構の要件よりも桁違いに低く、２つの機能を分離することが有用であることを意味する。
【００８２】
特に、ＲＦ送受信コイルが冷却されるＤＮＰ測定用の導波管を含むＳＢ磁石システムのためのプローブヘッドについて、及び有毒物質又は危険物質のためのプローブヘッドについては、導波管を設置し、冷却パイプ、放射シールド、熱交換器及び真空部品を組み込むために、及び後者の場合には、可能な限り複雑でない汚染領域を装備し、ロータの損傷の場合に、洗浄を簡素化し、及び／又は損傷の程度を制限するために、プローブヘッドに使用可能な空間が大幅に増えるように、角度の外部調整が優先される必要がある。これにより、従来技術ではこれまでＷＢ磁石システムにしか使用できなかったＳＢ磁石システム用のＭＡＳプローブヘッドを想定することができる。このようにして、これらの技術のユーザにとっては、取得コストと運用コストが大幅に低くなり、より広い範囲の磁場強度が利用可能になる。
【００８３】
従来技術で知られている管状の形状からのプローブヘッドの外側輪郭のずれは、Ｂ０＞２０Ｔの静磁場を有する高強度磁気システム用の外部調整機構を提供することができることが必要であり、一方では、これらのシステムはＳＢ磁気システムとしてのみ存在し、他方では、約１メートルの範囲の非常に長い長さＬ２を有する。負のｚ値の領域における横方向寸法を減少させることなくプローブヘッドを傾斜させることにより、磁石システムの製造公差（磁石デュワーに対する磁石コイルの角度、磁石デュワーに関連するシムシステムの組立公差）と、プローブヘッドに対する回転軸の固定角度位置との間で平衡させることができ、同時に軸受及び駆動部を有するロータをプローブヘッドに組み込むことができる十分な調整範囲を許容しない可能性がある。
【００８４】
ＮＭＲシステムの調整機構を、以下のように設計することができる。
【００８５】
プローブヘッドの上部接続が、磁石システムのキャビティ内の軸受部と共に軸受を形成するか、プローブヘッドが磁石システムに取り付けられた軸を含むか、又はプローブヘッドの一部が柔軟に設計され、これにより、プローブヘッドの傾動及び／又は回転運動が可能になる。軸受シェルの場合、プローブヘッドは、プローブヘッドをこの軸受シェルに対して引っ張る機構、及び／又は軸受シェルに対して右の高さに位置決めする機構を必要とするため、角度の緩みのない調整が可能である。角度調整自体を、磁石システムに対して可能な限りｘ軸に平行なプローブヘッドの下端を押すリニア駆動により行うことができる。このためには、調整機構をプローブヘッド及び磁石システムに機械的に連結することが必要である。
【００８６】
完全な調整機構がキャビティの外側にある代替案は、プローブヘッドが取り付けられ、プローブヘッドの軸方向位置と磁石システムに対する角度の両方を画定するロッカを含む。このようなロッカを、軸及びレバー、スピンドル、歯車、リニアドライブ又はホイストのいずれかで調整することができる。代案として、ロッカは、軸の代わりに球面軸受又は円筒軸受を含むことができる。
【００８７】
従来技術に対して好適なことは、プローブヘッドに一体化された調整機構に関連して、外部調整機構を有するプローブヘッドの寸法を拡大することであり、これは、要求される機械的精度及び再現性の低下につながり、したがって、製造及び保守コストが削減される。
【００８８】
センサがプローブヘッドに組み込まれている場合には、調整された角度を検出するために、一体化されていない調整機構もまた非常に好適であり、コンパクトな部品にセンサを取り付けることができないため、その温度はサンプル温度に近い温度に設定される。特に、従来技術において角度センサとして知られているホールセンサ（例えば、例えば参考文献７（米国特許第８，２０３，３３９号明細書）を参照）は、電荷キャリア密度が、したがってホール電圧がまた強い温度依存性を示すので、温度変化に対して非常に高い感度を示している。本発明によるプローブヘッドでは、このようなホールセンサは、サンプル温度から熱的に絶縁され、プローブヘッドに取り付けられることができ、したがって非常に高い精度で角度を測定することができる。同様の原理が、光学的方法により角度を決定するために適用される。
【００８９】
参考文献リスト
［１］  ＵＳ  ７，４９８，８１２  Ｂ２（特許文献１）
［２］  ＵＳ  ２０１４／００９９７３０  Ａ１（特許文献２）
［３］  ＵＳ  ７，５３５，２２４  Ｂ２（特許文献３）
［４］  ＵＳ−Ａ  ５，２６０，６５７（特許文献４）
［５］  ＵＳ  ７，２８２，９１９  Ｂ２（特許文献５）
［６］  ＵＳ  ８，５４７，０９９  Ｂ２（特許文献６）
［７］  ＵＳ  ８，２０３，３３９  Ｂ２
［８］  “Ａｎ  Ｘ０  ｓｈｉｍ  ｃｏｉｌ  ｆｏｒ  ｐｒｅｃｉｓｅ  ｍａｇｉｃ−ａｎｇｌｅ  ａｄｊｕｓｔｍｅｎｔ，”Ｔ．Ｍａｔｓｕｎａｇａａ  ｅｔ  ａｌ．，Ｊ．Ｍａｇｎ．Ｒｅｓ．，Ｖｏｌ．２５６，２０１５，ｐ．１−８
［９］  “Ａ  Ｈａｌｌ  ｅｆｆｅｃｔ  ａｎｇｌｅ  ｄｅｔｅｃｔｏｒ  ｆｏｒ  ｓｏｌｉｄ−ｓｔａｔｅ  ＮＭＲ，”Ｓ．Ｍａｍｏｎｅａ  ｅｔ  ａｌ．，Ｊ．Ｍａｇｎ．Ｒｅｓ．，Ｖｏｌ．１９０，２００８，ｐ．１３５−１４１
［１０］  “Ｏｐｔｉｃａｌ  ｌｅｖｅｒ  ｆｏｒ  ｍｏｎｉｔｏｒｉｎｇ  ｏｆ  ｔｈｅ  ｍａｇｉｃ  ａｎｇｌｅ，”Ｅ．Ｍｉｈａｌｉｕｋ  ａｎｄ  Ｔ．Ｇｕｌｌｉｏｎ，Ｊ．Ｍａｇｎ．Ｒｅｓ．，Ｖｏｌ．２２３，２０１２，ｐ．４６−５０．
【符号の説明】
【００９０】
１  磁石コイル
２  室温シムシステム
３  デュワー
４  キャビティ
５  サンプル
６  キャビティの壁
７  回転したサンプル
８  軸受
９  キャビティに組み込まれた軸受部
ＲＡ  回転軸
ＤＡ  チルト軸
θ  回転軸とｚ軸との間の角度
θｍ  マジック角
ＳＢ  標準ボア
ＷＢ  ワイドボア
ＤＢ  磁気システムのボアホールの直径
α  調整角度
α１  最大の負の調整角度
α２  最大の正の調整角度
Ｍ  磁気システムのキャビティを記述する空間点の集合
Ｎ  部分集合Ｏ（α）の集合
Ｏ（α）  集合Ｍから回転軸周りにαで回転して生成されたボディ
Ｐ  Ｎ（∩Ｎ）のすべての部分集合の交差部
Ｋ  キャビティ内のプローブヘッドの輪郭
Ｌ１  キャビティ内のプローブヘッドの上端のｚ位置
Ｌ２  キャビティの下端のｚ位置
Ｓ（ｚ）  ｚのｘｙ平面に平行な輪郭Ｋへの交差部
Ｑ（ｚ）  ｘ方向の交差部Ｓ（ｚ）の範囲
Ｒ（ｚ）  ｙ方向の交差部Ｓ（ｚ）の範囲
Ｔ  輪郭Ｋとｘｚ平面との交差部
【図１】
0006359606.tif 000002
【図２】
0006359606.tif 000003
【図３】
0006359606.tif 000004
【図４】
0006359606.tif 000005
【図５】
0006359606.tif 000006
【図６】
0006359606.tif 000007
【図７】
0006359606.tif 000008
【図８】
0006359606.tif 000009